(57)【要約】  【課題】      侵食された既設柱を簡単かつ安価に補強することのできる、柱補強ブロックおよび柱補強方法を提供する。  【解決手段】  柱補強ブロック１０は、上端面に雌ネジ部材４８が設けられており、既設柱１２の外面を覆うようにして配設される半割り筒状の２つの分割片１４と、雌ネジ部材４８に対応する孔７４を有し、２つの分割片１４の上端面を跨ぐようにして配設される連結部材１６と、連結部材１６の孔７４に挿通され、かつ、分割片１４の雌ネジ部材４８に螺合される雄ネジ部材１８とを備えている。そして、既設柱１２を補強する際には、既設柱１２の外面において２つの分割片１４が連結部材１６を介して一体化される。【選択図】    図２
2007016487.tif 000002
【特許請求の範囲】
【請求項１】
基礎上に立設された既設柱を補強するための柱補強ブロックであって、
上端面に雌ネジ部材が設けられており、前記既設柱の外面を覆うようにして配設される半割り筒状の２つの分割片と、前記雌ネジ部材に対応する孔を有し、前記２つの分割片の上端面を跨ぐようにして配設される連結部材と、前記連結部材の前記孔に挿通され、かつ、前記分割片の前記雌ネジ部材に螺合される雄ネジ部材とを備える、柱補強ブロック。
【請求項２】
前記分割片は、前記基礎の上面から突出したアンカーボルトが挿通される孔を有するベースプレートを備える、請求項１に記載の柱補強ブロック。
【請求項３】
前記分割片の主要材料はコンクリートである、請求項１または２に記載の柱補強ブロック。
【請求項４】
基礎上に立設された既設柱を補強するための柱補強方法であって、
（ａ）前記既設柱を前記基礎上で支持しているアンカーボルトからアンカーナットを取り外し、
（ｂ）前記既設柱の外面を覆うようにして２つの分割片を配設するとともに、前記２つの分割片の下端部を、前記アンカーボルトおよび前記アンカーナットを用いて前記既設柱と共に前記基礎に固定し、
（ｃ）前記２つの分割片の上端部どうしを、連結部材を用いて連結する、柱補強方法。
【発明の詳細な説明】
【技術分野】
【０００１】
本発明は、公園や歩道に設置された照明灯の支柱等を補強する、柱補強ブロックおよび柱補強方法に関する。
【背景技術】
【０００２】
公園や歩道に設置された照明灯の多くは、図１２に示すように、地中に埋設された基礎上に立設された支柱１によって支持されている。この支柱１は、通常は鋼管によって形成されており、しかも、屋外に設置されていることから、地中の水分や雨水等によって侵食（発錆、腐蝕）され易く、最悪の場合には、侵食された部分２から支柱１が倒れるおそれがあった。
【０００３】
そこで、従来では、定期点検の周期を短くして、侵食されかかった部分に防錆処理（塗装等）を施したり、また、図１２に示すように、侵食された部分２にＦＲＰ等のような補強ブロック３を巻き付けて補修したりしていた。
【０００４】
なお、これらの防錆処理や補修措置は、既に公知であるが、これらを開示した文献が見つからないため、先行技術文献の開示は省略する。
【発明の開示】
【発明が解決しようとする課題】
【０００５】
従来では、一般的な防錆処理や応急的な補修措置によって、支柱１の侵食に対処していたが、これらの処理または措置では、侵食された支柱１を更正することができず、「支柱が倒れる」といった事故を確実に防止することが困難であった。また、侵食された支柱１を新しいものに交換するとなると、その数が膨大であることから、交換工事に莫大なコストを要することとなり、現実的ではない。
【０００６】
それゆえに、本発明の主たる課題は、侵食された既設柱を簡単かつ確実に補強することのできる、柱補強ブロックおよび柱補強方法を提供することである。
【課題を解決するための手段】
【０００７】
請求項１に記載した発明は、「基礎２６上に立設された既設柱１２を補強するための柱補強ブロック１０であって、上端面に雌ネジ部材４８が設けられており、前記既設柱１２の外面を覆うようにして配設される半割り筒状の２つの分割片１４と、前記雌ネジ部材４８に対応する孔７４を有し、前記２つの分割片１４の上端面を跨ぐようにして配設される連結部材１６と、前記連結部材１６の前記孔７４に挿通され、かつ、前記分割片１４の前記雌ネジ部材４８に螺合される雄ネジ部材１８とを備える、柱補強ブロック１０」である。
【０００８】
本発明では、半割り筒状の２つの分割片１４で既設柱１２の外面を覆うことができ、しかも、２つの分割片１４を連結部材１６で連結して一体化させることができるので、分割片１４をコンクリート等のような高強度材料で形成することによって、侵食された既設柱１２を簡単に補強することができる。
【０００９】
請求項２に記載した発明は、請求項１に記載した「柱補強ブロック１０」において、「分割片１４は、基礎２６の上面から突出したアンカーボルト２８が挿通される孔６８を有するベースプレート５４を備える」ことを特徴とする。
【００１０】
本発明では、基礎２６に既設柱１２を固定するアンカーボルト２８およびアンカーナット３４をそのまま利用して、分割片１４を固定することができる。
【００１１】
請求項３に記載した発明は、請求項１または２に記載した「柱補強ブロック１０」において、「分割片１４の主要材料はコンクリートである」ことを特徴とする。
【００１２】
本発明は、柱補強ブロック１０における分割片１４を安価なコンクリートによって形成したものである。
【００１３】
請求項４に記載した発明は、「基礎２６上に立設された既設柱１２を補強するための柱補強方法であって、（ａ）前記既設柱１２を前記基礎２６上で支持しているアンカーボルト２８からアンカーナット３４を取り外し、（ｂ）前記既設柱１２の外面を覆うようにして２つの分割片１４を配設するとともに、前記２つの分割片１４の下端部を、前記アンカーボルト２８および前記アンカーナット３４を用いて前記既設柱１２と共に前記基礎２６に固定し、（ｃ）前記２つの分割片１４の上端部どうしを、連結部材１６を用いて連結する、柱補強方法」である。
【００１４】
この発明では、基礎２６に既設柱１２を固定するアンカーボルト２８およびアンカーナット３４をそのまま利用して、分割片１４を固定するようにしているので、少ない部品で簡単に施工できる。
【発明の効果】
【００１５】
請求項１〜４に記載した発明によれば、既設柱の侵食された部分だけを簡単かつ確実に補強することができ、健全部をそのまま生かすことができるので、既設柱の全体を交換する場合に比べて、コストを大幅に低減できる。また、分割片１４の主要材料としてコンクリートを用いると、その表面を平滑に仕上げることが可能であり、人が手で触れた場合でもケガをすることはなく、また、周囲の環境に調和した外観を持たせることができる。
【発明を実施するための最良の形態】
【００１６】
図１は、本発明が適用された柱補強ブロック１０を示す斜視図であり、図２は、柱補強ブロック１０を示す部分断面図であり、図３は、図２におけるIII−III線断面図である。
【００１７】
柱補強ブロック１０（図１〜図３）は、公園や歩道に設置された照明灯の支柱等（以下、「既設柱」という。）１２を補強するものであり、２つの分割片１４と、分割片１４どうしを連結する連結部材１６と、連結部材１６と分割片１４とを接合する雄ネジ部材１８とによって構成されている。
【００１８】
ここで、既設柱１２は、図８に示すように、鋼管等からなる支柱本体２０と、支柱本体２０の下端部に固着されたベースプレート２２と、支柱本体２０とベースプレート２２とが成すコーナ部に配設された補強板２４とを備えており、ベースプレート２２には、基礎２６の上面から突出したアンカーボルト２８が挿通される孔３０が形成されている。また、支柱本体２０の側面には、電気配設を保守／点検するための窓３２が開口されている。そして、アンカーボルト２８とアンカーナット３４とによって既設柱１２が基礎２６に固定されており、ベースプレート２２、補強板２４、アンカーボルト２８およびアンカーナット３４を含む固定部Ａが水切コンクリート３６（図７）で密閉されている。
【００１９】
このような既設柱１２では、その根元部が侵食され易く、根元部より上方の鋼管は健全であることが多いのが実情である。したがって、侵食された根元部だけを補強すれば、既設柱１２の全体を交換する必要はなく、経済的である。そこで、侵食された根元部だけを簡単かつ確実に補強するために、本発明の柱補強ブロック１０が用いられる。
【００２０】
柱補強ブロック１０を構成する各分割片１４は、図１および図２に示すように、高強度コンクリートによって成形された半割り筒状の本体部３８を有しており、本体部３８の上端部には、その外径をやや縮径することによって薄肉部４０が形成されている。また、本体部３８の長手方向中央部には、支柱本体２０の窓３２に対応する窓４２（図９）が開口されており、本体部３８の内部には、補強鉄筋４４が埋設されている。補強鉄筋４４は、図４に示すように、複数の縦筋４４ａと複数の横筋４４ｂとを接合することによって構成されており、本体部３８の上部に埋設される上側部分と、下部および中央部に埋設される下側部分とに分割されている。そして、下側部分には、分割片１４の窓４２（図９）に対応する切欠き４６が設けられている。
【００２１】
また、本体部３８の上端面には、図２に示すように、複数（この実施例では６個）の雌ネジ部材４８が設けられており、本体部３８の上端部内面には、図２に示すように、鋼板等の高強度材料からなる半割りリング状の保護材５０が設けられており、本体部３８における窓４２の周辺部には、図５に示すように、蓋体４３を取り付けるための雌ネジ部材５２が設けられている。さらに、本体部３８の下端部には、ベースプレート５４が取り付けられており、本体部３８の下端部側面には、既設柱１２の補強板２４が収容される溝５６（図２）が形成されている。
【００２２】
各ベースプレート５４は、図６に示すように、既設柱１２における支柱本体２０を通す半円状の凹部５８を有するプレート本体６０を備えており、プレート本体６０の中央部には、既設柱１２の補強板２４が収容される溝６２が凹部５８と連通して形成されている。また、プレート本体６０における凹部５８の周辺部には、複数（この実施例では４個）の空気抜孔６４が形成されており、また、この周辺部には、複数（この実施例では６本）の差筋６６が立設されている。さらに、プレート本体６０の所定箇所には、アンカーボルト２８（図８）が挿通される孔６８が設けられている。
【００２３】
分割片１４を製造する際には、まず、成形型（図示省略）の内部に、補強鉄筋４４、雌ネジ部材４８、保護材５０、雌ネジ部材５２およびベースプレート５４をセットし、この成形型にコンクリートを流し込む。そして、このコンクリートを成形型内で養生させ、養生が完了すると、得られた分割片１４を成形型から離型する。したがって、補強鉄筋４４、雌ネジ部材４８、保護材５０、雌ネジ部材５２およびベースプレート５４は、それらの一部または全部がコンクリート内に埋め込まれることによって、本体部３８と一体化されることになる。
【００２４】
なお、分割片１４の主要材料としては、コンクリートに代えて、プラスチックや金属等を用いてもよいが、簡単かつ安価に製造できる点において、コンクリートを用いることが望ましい。
【００２５】
各連結部材１６は、２つの分割片１４の上端部どうしを連結して、これらを一体化させるものであり、図１〜図３に示すように、ステンレス等のような高強度材料からなる半割りリング状の連結板部７０と、連結板部７０の外周縁から下方へ延びて分割片１４の上端部外周に配設される垂下部７２とによって構成されている。そして、連結板部７０の所定箇所には、分割片１４に設けられた各雌ネジ部材４８に対応する複数（この実施例では６個）の孔７４が形成されている。
【００２６】
柱補強ブロック１０を用いて既設柱１２を補強する際には、図７〜図１０に示すように、「掘削工程（図７）」、「下準備工程（図８）」、「分割片取付け工程（図９）」および「仕上げ工程（図１０）」をこの順に実行する。
【００２７】
「掘削工程」では、図７に示すように、既設柱１２における固定部Ａの周辺地盤を掘削し、水切コンクリート３６を破砕機等で破砕することによって、固定部Ａの全体を露出させる。また、既設柱１２における窓３２（図８）を閉塞していた蓋体３３を取り外す。
【００２８】
「下準備工程」では、図８に示すように、既設柱１２を支持しているアンカーボルト２８からアンカーナット３４を取り外すとともに、既設柱１２における支柱本体２０の外周に、スポンジパッキン７６を取り付ける。このとき、既設柱１２が倒れるのを防止するために、既設柱１２を仮支持しておくことが望ましい。
【００２９】
「分割片取付け工程」では、図９に示すように、既設柱１２の外面を覆うようにして２つの分割片１４を配設するとともに、分割片１４におけるベースプレート５４の孔６８（図６）にアンカーボルト２８を挿通させる。そして、アンカーボルト２８にアンカーナット３４を螺合することによって、分割片１４および既設柱１２を基礎２６に一緒に固定する。
【００３０】
「仕上げ工程」では、図１０に示すように、２つの分割片１４の上端部どうしを、連結部材１６を用いて連結する。つまり、雄ネジ部材１８を連結部材１６に設けられた孔７４に挿通し、この雄ネジ部材１８を分割片１４に設けられた雌ネジ部材４８に螺合する（図２）。そして、分割片１４どうしの隙間や、分割片１４と既設柱１２との隙間にコーキング材を充填する。また、雌ネジ部材５２（図５）と雄ネジ部材７８（図５、図１０）とによって、分割片１４に設けられた窓４２に蓋体４３を装着する。さらに、接合部Ａを、水切コンクリート３６を用いて密閉するとともに、水切コンクリート３６の周辺地盤を埋め戻す。
【００３１】
なお、上述の実施例では、分割片１４の本体部３８、連結部材１６および蓋体４３に石目模様の塗装を施した場合を示しているが（図１）、これに代えて、他の模様の塗装を施してもよいし、単一色の塗装を施してもよい。また、補強鉄筋４４に代えて、図１１に示すような補強網８０を用いるようにしてもよい。補強網８０は、ステンレス等のような耐食性を有する高強度材料によって略長方形に形成されており、補強網８０の長手方向中央部の側部には、窓４２（図９）に対応する切欠け８２が形成されている。
【図面の簡単な説明】
【００３２】
【図１】本発明が適用された柱補強ブロックを示す斜視図である。
【図２】本発明が適用された柱補強ブロックを示す部分断面図である。
【図３】図２におけるIII−III線断面図である。
【図４】補強鉄筋を示す正面図である。
【図５】蓋体の取付構造を示す図である。
【図６】ベースプレートを示す平面図および正面図である。
【図７】「掘削工程」を示す図である。
【図８】「下準備工程」を示す図である。
【図９】「分割片取付け工程」を示す図である。
【図１０】「仕上げ工程」を示す図である。
【図１１】補強網を示す正面図である。
【図１２】従来の柱ブロックを示す斜視図である。
【符号の説明】
【００３３】
１０…  柱補強ブロック
１２…  既設柱
１４…  分割片
１６…  連結部材
１８…  雄ネジ部材
２０…  支柱本体
２４…  補強板
２６…  基礎
２８…  アンカーボルト
３４…  アンカーナット
３６…  水切コンクリート
３８…  本体部
４２…  窓
４３…  蓋体
４４…  補強鉄筋
４８…  雌ネジ部材
５４…  ベースプレート
８０…  補強網
【図１】
2007016487.tif 000003
【図２】
2007016487.tif 000004
【図３】
2007016487.tif 000005
【図４】
2007016487.tif 000006
【図５】
2007016487.tif 000007
【図６】
2007016487.tif 000008
【図７】
2007016487.tif 000009
【図８】
2007016487.tif 000010
【図９】
2007016487.tif 000011
【図１０】
2007016487.tif 000012
【図１１】
2007016487.tif 000013
【図１２】
2007016487.tif 000014